(57)【要約】【課題】家計簿へのデータ入力に連携してネットワークバンキングでの取引を行えるようにする【解決手段】家計簿入力部４０は家計の内訳項目毎にデータ入力を受け付け、家計簿管理部４２は入力された家計簿データの記憶管理を行う。アクセス情報記憶部４８には、家計の内訳項目のうち、ネットワークバンキングを用いた資金移動取引に関連した所定の内訳項目と、当該ネットワークバンキングのサービスを提供するサーバーの接続先情報とが対応付けて記憶されている。家計簿入力部４０により前記所定の内訳項目についてデータ入力が行われる場合に、当該内訳項目に関連付けてアクセス情報記憶部に記憶された接続先情報に該当するサーバーへ接続する。【選択図】　　　図２
2004139382.tif 000002
【特許請求の範囲】
【請求項１】
家計の内訳項目毎に支出額または収入額のデータ入力を受け付ける入力手段と、該入力されたデータを家計簿データとして管理する管理手段とを備える家計簿管理装置であって、
指定された接続先情報に該当する外部のサーバーへネットワーク経由で接続するためのネットワーク接続手段と、
家計の内訳項目のうち、ネットワークバンキングを用いた資金移動取引に関連した所定の内訳項目と、当該ネットワークバンキングのサービスを提供するサーバーの接続先情報とが対応付けて記憶された記憶部と、
前記入力手段により前記所定の内訳項目についてデータ入力が行われる場合に、当該内訳項目に対応付けて前記記憶部に記憶された接続先情報に該当するサーバーへ前記ネットワーク接続手段を介して接続するサーバーアクセス手段と、を備えることを特徴とする装置。
【請求項２】
請求項１記載の家計簿管理装置において、
前記サーバーアクセス手段によりサーバーへ接続した状態にて利用者が行った操作を、当該内訳項目についての操作手順として記憶する操作手順記憶手段と、
前記サーバーアクセス手段によりサーバーへ接続した場合に、当該内訳項目について前記操作手順が記憶されていれば、その操作手順を再現する操作再現手段と、を備えることを特徴とする装置。
【請求項３】
請求項２記載の家計簿管理装置において、
前記操作手順記憶手段は、利用者が行った操作に応じて前記ネットワーク接続手段から前記ネットワークへ送出させた信号の履歴を前記操作手順として記憶し、
前記操作再現手段は、前記記録された信号の履歴を順次前記ネットワーク接続手段から前記ネットワークへ送出させることを特徴とする装置。
【請求項４】
請求項２または３記載の家計簿管理装置において、
前記操作再現手段は、前記記憶された操作手順に含まれる資金移動額を、当該内訳項目について前記入力手段で入力された金額に置き換えて操作手順を再現することを特徴とする装置。
【請求項５】
家計の内訳項目毎に支出または収入の金額のデータ入力を受け付けて、該入力されたデータを家計簿データとして管理する家計簿管理方法であって、
家計の内訳項目のうちネットワークバンキングを用いた資金移動取引に関連した所定の内訳項目と、当該ネットワークバンキングのサービスを提供するサーバーの接続先情報とを対応付けて所定の記憶部に予め記憶するステップと、
前記所定の内訳項目についてデータ入力が行われる場合に、当該内訳項目に対応付けて前記所定の記憶部に記憶された接続先情報に該当するサーバーへアクセスするステップと、を備えることを特徴とする方法。
【請求項６】
指定された接続先情報に該当する外部のサーバーへネットワーク経由で接続するネットワーク接続手段と、家計の内訳項目のうちネットワークバンキングを用いた資金移動取引に関連した所定の内訳項目と当該ネットワークバンキングのサービスを提供するサーバーの接続先情報とが対応付けて記憶された記憶部とを備えるコンピュータに、
利用者が指定した家計の内訳項目毎に支出額または収入額のデータ入力を受け付けて、該入力されたデータを家計簿データとして管理する管理ステップと、
前記所定の内訳項目についてデータ入力が行われる場合に、当該内訳項目に対応付けて前記記憶部に記憶された接続先情報に該当するサーバーへ前記ネットワーク接続手段を介して接続するサーバーアクセスステップと、を実行させることを特徴とする家計簿管理プログラム。
【請求項７】
請求項６記載の家計簿管理プログラムにおいて、
前記サーバーアクセスステップでサーバーへ接続した状態にて利用者が行った操作を、当該内訳項目についての操作手順として記憶するステップと、
前記サーバーアクセスステップでサーバーへ接続した場合に、当該内訳項目について前記操作手順が記憶されていれば、その操作手順を再現するステップと、を前記コンピュータに実行させることを特徴とするプログラム。
【請求項８】
請求項７記載の家計簿管理プログラムにおいて、
前記操作手順を記憶するステップでは、利用者が行った操作に応じて前記ネットワーク接続手段から前記ネットワークへ送出させた信号の履歴を前記操作手順として記憶し、
前記操作手順を再現するステップでは、前記記憶された信号の履歴を順次前記ネットワーク接続手段から前記ネットワークへ送出させることを特徴とするプログラム。
【請求項９】
請求項６〜８のうち何れか１項記載の家計簿管理プログラムを記録した記録媒体。
【発明の詳細な説明】
【０００１】
【発明の属する技術分野】
本発明は家計簿管理装置、家計簿管理方法、家計簿管理プログラム、および、このプログラムを記録した記録媒体に関する。
【０００２】
【従来の技術】
従来より、パーソナルコンピュータ用に各種の家計簿管理プログラムが市販されている。家計簿管理プログラムでは、家計の支出額や収入額を内訳項目別に入力して家計データを日毎や月毎に管理することができる。このような家計簿管理プログラムを用いれば、従前のように、家計簿に必要事項を手書きで記入したり、項目毎に金額を手計算するなどの手間がなくなり便利である。しかし、家計簿管理プログラムを用いても、プログラムへのデータ入力は買い物のレシートや通帳に記帳された取引履歴を見るなどしながら手作業で行わなければならず、利用者のデータ入力負担は大きい。
【０００３】
そこで、例えば特許文献１や特許文献２では、銀行口座からの引き落しなどの取引データを、金融機関側から利用者側の端末に取り込んで家計簿データとして用いるシステムが提案されている。このようなシステムによれば、実際の取引データを家計簿データとして用いることで、利用者のデータ入力負担を軽減することが可能となる。
【０００４】
【特許文献ｌ】
特開２００２−１４９９６２号公報
【０００５】
【特許文献２】
特開２００１−３０６７９８号公報
【０００６】
【発明が解決しようとする課題】
ところで、近年では、銀行等の金融機関が開設したＷＥＢサイトにインターネット経由でアクセスして、振込や残高照会等の取引を行えるようにしたネットワークバンキングが普及している。ネットワークバンキングによれば、金融機関へ出向かなくとも、自宅や職場等のコンピュータから取引が行えるので便利である。かかるネットワークバンキングを利用して行われた取引についても、上記特許文献１や特許文献２のシステムと同様に、その取引データを家計簿データとして取り込むことが考えられる。
【０００７】
しかし、ネットワークバンキングの取引は、家計簿管理プログラムと同じ自宅等のパーソナルコンピュータ上で行うことができるのであるから、取引データを金融機関側から改めて取り込むのは無駄である。また、利用者は、取引データを家計簿データとして取り込むための操作を行わねばならず、不慣れな利用者にとっては煩わしい。さらに、上記のように、家計簿管理プログラムでは支出や収入を内訳項目別に管理するのが一般的であるため、どの項目の家計簿データとして取り込むのか利用者がいちいち指定しなければならず、操作は一層煩雑となる。
【０００８】
本発明は、上記の点に鑑みてなされたものであり、家計簿へのデータ入力に連携してネットワークバンキングでの取引を行えるようにすることを目的とする。
【０００９】
【課題を解決するための手段】
上記の目的を達成するため、本発明は、家計の内訳項目毎に支出額または収入額のデータ入力を受け付ける入力手段と、該入力されたデータを家計簿データとして管理する管理手段とを備える家計簿管理装置であって、
指定された接続先情報に該当する外部のサーバーへネットワーク経由で接続するためのネットワーク接続手段と、
家計の内訳項目のうち、ネットワークバンキングを用いた資金移動取引に関連した所定の内訳項目と、当該ネットワークバンキングのサービスを提供するサーバーの接続先情報とが対応付けて記憶された記憶部と、
前記入力手段により前記所定の内訳項目についてデータ入力が行われる場合に、当該内訳項目に対応付けて前記記憶部に記憶された接続先情報に該当するサーバーへ前記ネットワーク接続手段を介して接続するサーバーアクセス手段と、を備えることを特徴とする。
【００１０】
本発明によれば、ネットワークバンキングを用いた資金移動取引に対応した内訳項目についてデータ入力が行われる場合に、当該ネットワークバンキングのサービスを提供するサーバーへ自動的に接続される。このため、利用者は、家計簿のデータ入力に連携してネットワークバンキングでの取引を行うことができる。
【００１１】
また、本発明の家計簿管理装置は、前記サーバーアクセス手段によりサーバーへ接続した状態にて利用者が行った操作を、当該内訳項目についての操作手順として記憶する操作手順記憶手段と、前記サーバーアクセス手段によりサーバーへ接続した場合に、当該内訳項目について前記操作手順が記憶されていれば、その操作手順を再現する操作再現手段とを備えることとしてもよい。このようにすれば、ネットワークバンキングで行った操作を一度記憶させておけば、以後、その操作が再現されることで、利用者の操作負担が軽減される。
【００１２】
この場合、前記操作手順記憶手段は、利用者が行った操作に応じて前記ネットワーク接続手段から前記ネットワークへ送出させた信号の履歴を前記操作手順として記憶し、前記操作再現手段は、前記記録された信号の履歴を順次前記ネットワーク接続手段から前記ネットワークへ送出させることとしてもよい。
【００１３】
また、前記操作再現手段は、前記記憶された操作手順に含まれる資金移動額を、当該内訳項目について前記入力手段で入力された金額に置き換えて操作手順を再現することとしてもよい。このようにすれば、取引毎に変化し得る資金移動額についても、家計簿入力したのと同じ金額での取引を行うことができる。このため、利用者のデータ入力負担が更に軽減される。
【００１４】
また、本発明に係る、家計の内訳項目毎に支出または収入の金額のデータ入力を受け付けて、該入力されたデータを家計簿データとして管理する家計簿管理方法は、
家計の内訳項目のうちネットワークバンキングを用いた資金移動取引に関連した所定の内訳項目と、当該ネットワークバンキングのサービスを提供するサーバーの接続先情報とを対応付けて所定の記憶部に予め記憶するステップと、
前記所定の内訳項目についてデータ入力が行われる場合に、当該内訳項目に対応付けて前記所定の記憶部に記憶された接続先情報に該当するサーバーへアクセスするステップと、を備えることを特徴とする。
【００１５】
さらに、本発明に係る家計簿管理プログラムは、指定された接続先情報に該当する外部のサーバーへネットワーク経由で接続するネットワーク接続手段と、家計の内訳項目のうちネットワークバンキングを用いた資金移動取引に関連した所定の内訳項目と当該ネットワークバンキングのサービスを提供するサーバーの接続先情報とが対応付けて記憶された記憶部とを備えるコンピュータに、
利用者が指定した家計の内訳項目毎に支出額または収入額のデータ入力を受け付けて、該入力されたデータを家計簿データとして管理する管理ステップと、
前記所定の内訳項目についてデータ入力が行われる場合に、当該内訳項目に対応付けて前記記憶部に記憶された接続先情報に該当するサーバーへ前記ネットワーク接続手段を介して接続するサーバーアクセスステップと、を実行させることを特徴とする。
【００１６】
【発明の実施の形態】
図１は、本発明の一実施形態である家計簿管理装置１０を含んで構成されるシステムの全体構成図である。本実施形態の家計簿管理装置１０はパーソナルコンピュータ等のコンピュータにより構成されている。図１に示すように、家計簿管理装置１０は、ＣＰＵにより構成されるプログラム実行部２０、ＲＯＭ，ＲＡＭやハードディスク装置等で構成される記憶部２２、および、ＬＡＮカードやモデム等で構成される通信インターフェース部２４（ネットワーク接続手段）を備えており、この通信インターフェース部２４を介してインターネット２６に接続されている。インターネット２６には、各金融機関が開設したネットワークバンキングサイトのサーバー（以下、ネットワークバンキングサーバーという）２８が接続されている。
【００１７】
記憶部２２には、家計簿管理プログラム３０およびブラウザプログラム３２が記憶されている。プログラム実行部２０は記憶部２２に記憶されたこれらのプログラムを読み出して実行する。
【００１８】
家計簿管理プログラム３０は、家計の支出・収入を項目毎に入力して管理するためのプログラムである。また、ブラウザプログラム３２は、通信インターフェース部２４からインターネット２６上のＷＥＢサイトにアクセスして閲覧するためのプログラムである。
【００１９】
図２は、家計簿管理プログラム３０の機能ブロック構成を示す。同図に示すように、家計簿管理プログラム３０は、家計簿入力部４０、家計簿管理部４２、アクセス情報設定部４６、アクセス情報記憶部４８、操作手順記憶部５０、ブラウザ起動部５２等を含んでいる。
【００２０】
家計簿入力部４０は、利用者が家計の内訳項目（例えば、食費、光熱費、衣料費、家賃、定期預金等の項目）毎の支出・収入額を家計簿データとして入力するためのプログラム部である。より具体的には、画面上に各内訳項目に対応するメニューが表示され、入力しようとする項目に該当するメニューを選択することで、その項目の支出・収入額を入力するようになっている。家計簿入力部４０で入力された家計簿データは、家計簿管理部４２により記憶され、画面への表示、集計、印刷等の各種管理処理が行われる。なお、内訳項目はプログラム側で予め用意されたもののほか、利用者が自由に設定できるようになっている。
【００２１】
アクセス情報設定部４６は、インターネット２６上のネットワークバンキングサイトにアクセスするのに必要なアクセス情報を利用者が設定するためのプログラム部である。すなわち、以下に述べるように、家計簿管理プログラム３０は、資金移動取引（例えば、振込や定期預金口座への資金移動等）に関連した内訳項目についてデータ入力が行われる場合に、該当するネットワークバンキングサイトへアクセスする機能を有しており、アクセス情報設定部４６では、そのようなネットワークバンキングでの取引に関連した内訳項目（以下、取引関連項目という）についてアクセス情報を設定することができる。アクセス情報設定部４６で設定されたアクセス情報はアクセス情報記憶部４８に記憶される。
【００２２】
図３は、アクセス情報記憶部４８に記憶されたアクセス情報の例を示す。同図に示すように、各取引関連項目に対応付けて、ネットワークバンキングサーバー２８のＵＲＬ、利用者ＩＤ、パスワード等がアクセス情報として記憶される。例えば、同図１行目の例では、内訳項目「家賃」が選択された場合に、ＵＲＬ”ｈｔｔｐ：／／ｄｉｒｅｃｔ．ｂｔｍ．ｃｏ．ｊｐ／”へアクセスが行われ、そのログイン画面にて利用者ＩＤ”ａ０４３２１”、パスワード”ａｂｖ１２ｍ”が入力されてそのサイトへのログインが行われる。
【００２３】
操作手順記憶部５０には、取引関連項目が選択されることによりネットワークバンキングサイトへアクセスした状態で利用者が行った操作の手順（具体的には、利用者の操作に応じてインターネット２６へ送出されるｈｔｔｐリクエストの履歴）が記憶される。すなわち、ネットワークバンキングサーバー２８へアクセス中の画面で利用者が何らかの操作（ボタンやリンク表示のクリック等）を行うと、その操作に対応したｈｔｔｐリクエストがインターネット２６へ送出されるが、そのように送出されたｈｔｔｐリクエストの履歴が操作手順として操作手順記憶部５０に記憶されるのである。
【００２４】
図４は、家計簿管理プログラムが起動された後、利用者が家計簿データを入力すべく何れかの内訳項目を選択した場合に実行されるルーチンのフローチャートである。先ず、選択された内訳項目について支出または収入額の入力が行われる（Ｓ１００）。次に、当該内訳項目についてアクセス情報記憶部４８にアクセス情報が記憶されているかどうかが判別される（Ｓ１０２）。その結果、当該内訳項目についてアクセス情報が記憶されていなければ、本ルーチンは終了する。一方、アクセス情報が記憶されている場合は、ネットワークバンキングサーバー２８へアクセスして実際に取引を行うかどうかを利用者に問い合わせるためのウインドウが表示される（Ｓ１０４）。これに応じて利用者が取引を行うことを選択した場合は（Ｓ１０６）、アクセス情報に含まれるＵＲＬを接続先としてブラウザプログラム３２が起動され、該当するネットワークバンキングサイトのログインページへのアクセスが行われる（Ｓ１０８）。これに応じて、ネットワークバンキングサーバー２８は、家計簿管理装置１０へログインページの画面構成データ（ＨＴＭＬデータ）を送信する。家計簿管理装置１０は、アクセス情報に含まれる利用者ＩＤおよびパスワードをネットワークバンキングサーバー２８へ返送し、これにより、ネットワークバンキングサイトへのログインが行われる（Ｓ１１０）。
【００２５】
より具体的には、家計簿管理装置１０において、ログインページの画面構成データに含まれる利用者ＩＤおよびパスワードの夫々の識別変数名と、ネットワークバンキングサイトにおける利用者認証用ＣＧＩプログラムのＵＲＬとが特定され、アクセス情報に含まれる利用者ＩＤおよびパスワードを各識別変数の値として、ＣＧＩプログラムのＵＲＬへ送信するためのｈｔｔｐリクエストが送出される。
【００２６】
例えば、ログイン画面の構成データにおいて、次のＨＴＭＬ文で利用者ＩＤおよびパスワードの入力欄が記述されているとする。ただし、利用者認証用ＣＧＩプログラムのプログラム名を”ｕｓｅｒ．ｃｇｉ”としている。
＜ＦＯＲＭ　ＡＣＴＩＯＮ＝”ｈｔｔｐｓ：／／ｄｉｒｅｃｔ．ｂｔｍ．ｃｏ．ｊｐ／ｕｓｅｒ．ｃｇｉ”　ＭＥＴＨＯＤ＝”ＰＯＳＴ”＞
＜ＩＮＰＵＴ　ＴＹＰＥ＝”ｔｅｘｔ”　ＮＡＭＥ＝”ｕｓｅｒ＿ｉｄ”＞
＜ＩＮＰＵＴ　ＴＹＰＥ＝”ｔｅｘｔ”　ＮＡＭＥ＝”ｐａｓｓｗｏｒｄ”＞
・・・・・・・・・・・・・・・・・・
＜／ＦＯＲＭ＞
【００２７】
このような画面構成データに対して、次のようなｈｔｔｐリクエストをブラウザプログラム３２から送出させる。
”ｈｔｔｐｓ：／／ｄｉｒｅｃｔ．ｂｔｍ．ｃｏ．ｊｐ／ｕｓｅｒ．ｃｇｉ”／？ｕｓｅｒ＿ｉｄ＝（登録された利用者ＩＤの値）＆ｐａｓｓｗｏｒｄ＝（登録されたパスワードの値）”
これにより、利用者認証用ＣＧＩプログラム”ｕｓｅｒ．ｃｇｉ”へ、アクセス情報として記憶された利用者ＩＤおよびパスワードが送信され、ネットワークバンキングサイトにおいて利用者認証が行われてログインが許可されることとなる。
【００２８】
なお、以上の説明では、利用者ＩＤおよびパスワードをネットワークバンキングサーバー２８へ自動的に送信することでログインを行うものとしたが、次のように、利用者の操作を介在させてログインを行うようにしてもよい。すなわち、ネットワークバンキングサイトへの最初のアクセス時には、利用者ＩＤおよびパスワードをログイン画面の該当欄に利用者が手入力するようにして、その入力内容をブラウザプログラム３２に記憶させておく。そして、次回以降、同じネットワークバンキングサイトへのアクセスが行われた場合には、記憶しておいた利用者ＩＤおよびパスワードをログイン画面の該当欄に自動入力させる。これにより、利用者はログインボタンをクリックするだけでログインを行えるようになる。
【００２９】
以上のようにネットワークバンキングサイトへのログインが行われると、次に、操作手順記憶部５０に当該内訳項目について操作手順が記憶されているかどうかが判別される（Ｓ１１２）。その結果、操作手順が記憶されていれば、その操作手順（つまり家計簿管理装置１０から送出されたｈｔｔｐリクエストの履歴）が、順次、ブラウザプログラム３２からインターネット２６へ送出される（Ｓ１１４）。その際、操作手順に含まれるｈｔｔｐリクエストの中で、資金移動額（例えば振込の場合は振込金額）に該当する識別変数名の値については、上記Ｓ１００で入力された金額の値を用いるものとする。これにより、家計簿へ記入した金額と同額の振込依頼が自動的に行われることとなる。
【００３０】
例えば、操作手順に次のような振込金額を指定したｈｔｔｐリクエストが含まれていたとする。ただし、振込取引を処理するためのＣＧＩプログラムのプログラム名が”ｆｕｒｉｋｏｍｉ．ｃｇｉ”、振込金額を表す識別変数が”ｋｉｎｇａｋｕ”であるとしている。
”ｈｔｔｐｓ：／／ｄｉｒｅｃｔ．ｂｔｍ．ｃｏ．ｊｐ／ｆｕｒｉｋｏｍｉ．ｃｇｉ／？ｋｉｎｇａｋｕ＝１５０００”
この例では、振込金額は”１５，０００円”に指定されている。
【００３１】
これに対して、上記Ｓ１００で入力された金額が”３０，０００円”であったとすると、ネットワークバンキングサイトでの振込金額もこれと同額にする必要がある。そこで、識別変数”ｋｉｎｇａｋｕ”の値を”３０，０００”に変更した次のｈｔｔｐリクエストが送出されることで、振込金額が”３０，０００円”に指定されることとなる。
”ｈｔｔｐｓ：／／ｄｉｒｅｃｔ．ｂｔｍ．ｃｏ．ｊｐ／ｆｕｒｉｋｏｍｉ．ｃｇｉ／？ｋｉｎｇａｋｕ＝３００００”
【００３２】
一方、上記Ｓ１１２において、操作手順が記憶されていない場合は、利用者にネットワークバンキングサイト上での操作手順を記憶するかどうか問い合わせるためのウインドウが表示される（Ｓ１１６）。これに応じて、利用者が操作手順を記憶することを選択した場合（Ｓ１１８）は、ブラウザプログラム３２から送出されるｈｔｔｐリクエストが取得され、家計簿管理プログラム３０上で所定の記憶終了操作が行われるまでに送出されたｈｔｔｐリクエストの履歴が操作手順として、当該内訳項目に関係付けて操作手順記憶部５０に記憶される（Ｓ１２０）。
【００３３】
以上説明したように、本実施形態によれば、家計簿管理プログラムへの家計データの入力中に、資金移動取引に関連した内訳項目については、その内訳項目が入力項目として選択されると自動的に該当するネットワークバンキングサイトへのアクセスが行われ、利用者はその場で取引を行うことができる。すなわち、家計簿への入力とネットワークバンキングサイト上での振込操作とを一度に行えることとなり、利用者にとっての利便性が高まる。
【００３４】
また、家計簿入力中にネットワークバンキングサイトにて資金移動取引を行った場合にその操作手順を記憶しておけば、次に同じ内訳項目を入力する場合には、その操作手順に従って、自動的に資金移動取引が行われる。このため、資金移動取引に関連した項目を家計簿へ入力すると、ほぼ自動的に、それに対応する取引が行われることとなり、利用者の操作負担が格段に低減される。
【００３５】
なお、上記実施形態では、家計簿管理プログラムへの家計データの際に同時にネットワークバンキングサイトでの資金移動取引が行われるものとしたが、例えば家賃振込や定期預金口座への積み立てのように金額や時期が予め定まっているものについては、取引の予約を行えるようにしてもよい。すなわち、操作手順記憶部５０に記憶された操作手順のうち、将来も決まった時期に実行したい資金移動取引について、その実行時期を予約登録できるようにしておき、登録された実行時期が到来すると、自動的にネットワークバンキングサイトへアクセスし取引が行われるようにするのである。
【００３６】
また、上記実施形態では、家計簿管理プログラム３０とブラウザプログラム３２とが別個のプログラムであり、家計簿管理プログラム３０からブラウザプログラム３２を起動してネットワークバンキングサイトへのアクセスが行われるものとしたが、これに限らず、家計簿管理プログラム３０にネットワークアクセス機能を持たせるようにしてもよい。
【００３７】
【発明の効果】
本発明によれば、家計簿へのデータ入力に連携してネットワークバンキングでの取引を行えるようにすることができる。
【図面の簡単な説明】
【図１】本発明の一実施形態である家計簿管理装置を含んで構成されるシステムの全体構成図である。
【図２】本実施形態における家計簿管理プログラムの機能ブロック構成を示す図である。
【図３】アクセス情報記憶部に記憶されたアクセス情報の例を示す図である。
【図４】家計簿管理プログラムが起動された後、利用者が家計簿データを入力すべく何れかの内訳項目を選択した場合に実行されるルーチンのフローチャートである。
【符号の説明】
１０　家計簿管理装置
２０　プログラム実行部
２２　記憶部
２４　通信インターフェース部
２６　インターネット
３０　家計簿管理プログラム
３２　ブラウザプログラム
４０　家計簿入力部
４２　家計簿管理部
４６　アクセス情報設定部
４８　アクセス情報記憶部
５０　操作手順記憶部
５２　ブラウザ起動部
【図１】
2004139382.tif 000003
【図２】
2004139382.tif 000004
【図３】
2004139382.tif 000005
【図４】
2004139382.tif 000006